(57)【要約】【課題】ユーザーがよく視聴している常連番組の情報を通知する常連番組情報通知システムを提供する。【解決手段】常連番組通知システム１０は、インターネットにアクセスできる携帯端末１００、全国都道府県のＥＰＧデータを提供するＥＰＧサーバ２００、及びデジタル放送電波を受信するテレビ受信機３００から構成されている。ユーザーが携帯端末１００から「視聴地」と「通知開始時間」の視聴情報をテレビ受信機３００に送信すると、テレビ受信機３００は「視聴地」の電子番組表（ＥＰＧ）データをＥＰＧサーバ２００から入力する。また、テレビ受信機３００は、保存しているユーザーの視聴履歴データに基づいて「視聴地」の電子番組表からユーザーがよく視聴している常連番組を取り出し、「視聴地」における常連番組の情報を「通知開始時間」に設定される時刻になったらユーザーの携帯端末１００に送信することで、ユーザーに常連番組の情報を通知する。【選択図】図１
2013145995.tif 000002
【特許請求の範囲】
【請求項１】
ネットワークを介して接続された携帯端末、ＥＰＧサーバ、及びテレビ受信機を備えた常連番組情報通知システムであって、
前記携帯端末は、
ユーザーの視聴地を前記テレビ受信機に送信する視聴地送信手段と、
前記テレビ受信機から常連番組の情報を受信する常連番組情報受信手段とを有し、
前記ＥＰＧサーバは、
放送局のＥＰＧデータを取得して保存するＥＰＧデータ取得保存手段を有し、
前記テレビ受信機は、
前記視聴地の番組表を前記ＥＰＧサーバから受信し、前記視聴地の番組表から常連番組の情報を取り出し、前記常連番組の情報を前記携帯端末に送信する常連番組情報送信手段を有し、
前記携帯端末は、前記常連番組情報受信手段により受信した前記常連番組の情報を表示することを特徴とする常連番組情報通知システム。
【請求項２】
前記テレビ受信機は、
ユーザーが指定した時刻になったときに前記常連番組情報送信手段により前記常連番組の情報を前記携帯端末に送信することを特徴とする請求項１に記載の常連番組情報通知システム。
【請求項３】
前記携帯端末は、
前記常連番組が開始する時刻になったときに前記常連番組の最新の番組表を取得し、前記常連番組の開始を通知するメッセージを表示することを特徴とする請求項１または請求項２に記載の常連番組情報通知システム。
【請求項４】
前記テレビ受信機は、
ユーザーの視聴回数の多い番組を前記常連番組とすることを特徴とする請求項１から請求項３のいずれか１項に記載の常連番組情報通知システム。
【請求項５】
前記テレビ受信機は、
番組タイトルや番組内容にユーザーが指定したキーワードを含む番組を前記常連番組とすることを特徴とする請求項１から請求項３のいずれか１項に記載の常連番組情報通知システム。
【請求項６】
前記常連番組の情報には複数の前記常連番組が設定されていることを特徴とする請求項１から請求項５のいずれか１項に記載の常連番組情報通知システム。
【請求項７】
前記常連番組にユーザーの嗜好にどれだけ近いかを数値化したお薦め度を設定し、ユーザーが指定したお薦め度より高い前記常連番組が開始する時刻になったときだけ前記常連番組の開始を通知するメッセージを表示することを特徴とする請求項６に記載の常連番組情報通知システム。
【請求項８】
ユーザーが指定する時間帯に放映される前記常連番組が開始する時刻になったときだけ前記常連番組の開始を通知するメッセージを表示することを特徴とする請求項７に記載の常連番組情報通知システム。
【請求項９】
前記テレビ受信機は、
前記視聴地と前記テレビ受信機のＥＰＧデータの番組表が同じであるときに、前記常用番組を録画することを特徴とする請求項１から請求項８のいずれか１項に記載の常連番組情報通知システム。
【発明の詳細な説明】
【技術分野】
【０００１】
本発明は、テレビジョン放送における番組情報の通知に係り、特にユーザーがよく視聴している番組（以下、常連番組という）の情報を通知する常連番組情報通知システムに関する。
【背景技術】
【０００２】
昨今のテレビ受信機には、ユーザーの視聴履歴を保存し、その視聴履歴に基づいてユーザーがよく視聴している番組を電子番組表(以下、ＥＰＧ（Electronic Program Guide）から取り出し、その常連番組が開始される時間になるとユーザーに通知する機能が搭載されているものがある。更に、その常連番組からユーザーの嗜好を分析し、この分析に基づいてユーザーの嗜好に一致する番組をＥＰＧから取り出し、ユーザーにその番組の情報を通知する機能が搭載されているものもある。しかし、このような機能を実現するためには、ユーザーの視聴履歴が保存される視聴履歴データとデジタル放送の電波（以下、デジタル放送波という）により配信されるＥＰＧデータが必要となる。
【０００３】
テレビジョン放送の番組予約を行う技術として下記特許文献１がある。特許文献１の視聴予約システムでは、ユーザーは視聴予約装置を用いて、希望する番組の視聴を予約する。視聴予約装置は、視聴予約された番組の放送開始に先だって、ユーザーが利用（アクセス）可能な、番組受信装置或いは番組録画装置に対して、ユーザーが視聴予約した番組の開始が迫っていることを通知する。当該通知に対するユーザーの応答に基づいて、視聴予約システムはユーザーの視聴環境に応じて、ユーザーの利用可能な番組受信装置および番組録画装置を選択的に操作することで、ユーザーが確実に視聴できるようにしている。
【先行技術文献】
【特許文献】
【０００４】
【特許文献１】特許第４６０２２５５号公報
【発明の概要】
【発明が解決しようとする課題】
【０００５】
このような特許文献１の視聴予約システムについては、電子メールを媒体とし、ネットワークを通じて、携帯機器からテレビ受信機への視聴予約操作と、テレビ受信機から携帯機器への予約番組開始の通知、及びその通知を受けた時点のユーザーの状況に応じて視聴予約から録画予約への切り替えを可能としている。しかし、ユーザーが常時視聴している地域と遠く離れた地域でテレビジョン放送を視聴する場合には、常連番組やユーザーの嗜好に一致する番組の情報が通知されても、常時視聴している地域のＥＰＧと、ユーザーが視聴する地域のＥＰＧが異なることがあるので通知された情報を利用することができない。また、ユーザーが常時視聴しているテレビ受信機とは異なるテレビ受信機で視聴する場合には、ユーザーの視聴履歴が視聴するテレビ受信機には保存されていないので、ユーザーの視聴履歴に基づいて常連番組やユーザーの嗜好に一致する番組の情報を通知することができない。
【０００６】
本発明はこのような状況に鑑みてなされたものであり、上記課題を解決できる常連番組情報通知システムを提供することを目的とする。
【課題を解決するための手段】
【０００７】
本発明の常連番組情報通知システムは、ネットワークを介して接続された携帯端末、ＥＰＧサーバ、及びテレビ受信機を備えた常連番組情報通知システムであって、前記携帯端末は、ユーザーの視聴地を前記テレビ受信機に送信する視聴地送信手段と、前記テレビ受信機から常連番組の情報を受信する常連番組情報受信手段とを有し、前記ＥＰＧサーバは、放送局のＥＰＧデータを取得して保存するＥＰＧデータ取得保存手段を有し、前記テレビ受信機は、前記視聴地の番組表を前記ＥＰＧサーバから受信し、前記視聴地の番組表から常連番組の情報を取り出し、前記常連番組の情報を前記携帯端末に送信する常連番組情報送信手段を有し、前記携帯端末は、前記常連番組情報受信手段により受信した前記常連番組の情報を表示することを特徴としている。
また、本発明の常連番組情報通知システムの前記テレビ受信機は、ユーザーが指定した時刻になったときに前記常連番組情報送信手段により前記常連番組の情報を前記携帯端末に送信することを特徴としている。
また、本発明の常連番組情報通知システムの前記携帯端末は、前記常連番組が開始する時刻になったときに前記常連番組の最新の番組表を取得し、前記常連番組の開始を通知するメッセージを表示することを特徴としている。
また、本発明の常連番組情報通知システムの前記テレビ受信機は、ユーザーの視聴回数の多い番組を前記常連番組とすることを特徴としている。
また、本発明の常連番組情報通知システムの前記テレビ受信機は、番組タイトルや番組内容にユーザーが指定したキーワードを含む番組を前記常連番組とすることを特徴としている。
また、本発明の常連番組情報通知システムの前記常連番組の情報には複数の前記常連番組が設定されていることを特徴としている。
また、本発明の常連番組情報通知システムは、前記常連番組にユーザーの嗜好にどれだけ近いかを数値化したお薦め度を設定し、ユーザーが指定したお薦め度より高い前記常連番組が開始する時刻になったときだけ前記常連番組の開始を通知するメッセージを表示することを特徴としている。
また、本発明の常連番組情報通知システムは、ユーザーが指定する時間帯に放映される前記常連番組が開始する時刻になったときだけ前記常連番組の開始を通知するメッセージを表示することを特徴としている。
また、本発明の常連番組情報通知システムの前記テレビ受信機は、前記視聴地と前記テレビ受信機のＥＰＧデータの番組表が同じであるときに、前記常用番組を録画することを特徴としている。
【発明の効果】
【０００８】
本発明は、ユーザーが常時視聴しているテレビ受信機とは異なるテレビ受信機で視聴する場合や、ユーザーが常時視聴している地域と遠く離れた地域でテレビジョン放送を視聴する場合においても、常連番組の情報をユーザーに通知することができる常連番組情報通知システムを提供することができる。
【図面の簡単な説明】
【０００９】
【図１】本発明の実施形態１に係る常連番組通知システムの概要を示す図である。
【図２】本発明の実施形態１に係る携帯端末の機能構成を示す図である。
【図３】本発明の実施形態１に係るＥＰＧサーバの機能構成を示す図である。
【図４】本発明の実施形態１に係るテレビ受信機の機能構成を示す図である。
【図５】本発明の実施形態１に係る視聴履歴データの構成を示す図である。
【図６】本発明の実施形態１に係る常連番組通知処理のフローチャートである。
【図７】本発明の実施形態1に係る常連番組検索処理のフローチャートである。
【図８】本発明の実施形態２に係る常連番組通知処理のフローチャートである。
【図９】本発明の実施形態２に係る常連番組検索処理のフローチャートである。
【発明を実施するための形態】
【００１０】
以下、本発明を実施するための第１の実施形態（以下、「実施形態１」という）について図面を参照して説明する。実施形態１は、ユーザーの携帯端末から「視聴地」を入力すると、居住地でユーザーが常時視聴しているテレビ受信機に「視聴地」が送信される。テレビ受信機は送信された「視聴地」のＥＰＧデータを入力し、このＥＰＧデータからテレビ受信機が保存しているユーザーの視聴履歴データに基づいて常連番組を取り出し、ユーザーの携帯端末に「視聴地」における常連番組の情報を送信するものである。
【００１１】
本実施形態１の常連番組通知システム１０の概要について、図１を用いて説明する。常連番組通知システム１０は、図１に示すようにインターネットにアクセスでき、また、デジタル放送波からＥＰＧデータ及びＧＰＳ衛星などからＧＰＳデータを受信する機能を有する携帯端末１００、全国都道府県のＥＰＧデータを提供するＥＰＧサーバ２００、及びデジタル放送電波を受信するテレビ受信機３００から構成されている。携帯端末１００、ＥＰＧサーバ２００、及びテレビ受信機３００は、ネットワーク４００に接続されている。携帯端末１００は、ネットワーク４００を経由してテレビ受信機３００に対して視聴情報を送信し、テレビ受信機３００はネットワーク４００を経由して携帯端末１００に常連番組情報を送信する。また、ＥＰＧサーバ２００は、テレビ受信機３００に対してユーザーが携帯端末１００から指定する「視聴域」のＥＰＧデータを送信する。ＥＰＧサーバ２００がＥＰＧデータを取得する方法として、例えば、デジタル放送波から取得、放送局のＨＰ（ホームページ）から取得、ネットワーク４００に接続され各地域に設置されているテレビ受信機３００から取得、またはネットワーク４００に接続されている放送局（図示せず）と直接接続して取得するなどあらゆる方法を用いることが可能である。
【００１２】
次に、携帯端末１００の機能構成について、図２を用いて説明する。図２に示すように、携帯端末１００は、通信インターフェース部１１０、制御部１２０、記憶部１３０、パネル操作表示部１４０、ＧＰＳ機能部１５０、及びテレビチューナ１６０から構成されている。制御部１２０は常連番組通知処理部１２０ａを備える。記憶部１３０は、常連番組情報保存エリア１３０ａを備える。
【００１３】
通信インターフェース部１１０は、無線によりプロバイダを経由してネットワーク４００に接続し、ネットワーク４００によりテレビ受信機３００とデータの送受信を行う。制御部１２０は、パネル操作表示部１４０から出力される操作信号に基づき携帯端末１００全体を制御する。制御部１２０の常連番組通知処理部１２０ａは、テレビ受信機３００から送信される常連番組の情報をユーザーに通知する常連番組通知処理を実行する。常連番組通知処理の詳細については、後述する。記憶部１３０は、携帯端末１００の基本機能を実現するためのプログラムを記憶している。記憶部１３０の常連番組情報保存エリア１３０ａにテレビ受信機３００から送信される常連番組情報が保存される。パネル操作表示部１４０は、ユーザーの指による接触で操作可能なパネルを備え、携帯端末１００が備える機能の操作項目をパネルに表示、パネルからの操作の入力、またはネットワーク４００を経由して受信するデータや情報をパネルに表示する。ＧＰＳ機能部１５０は、制御部１２０の常連番組通知処理部１２０ａからの要求により、ＧＰＳ機能を用いてユーザーの現在地を取り出し、ユーザーの現在地を常連番組通知処理部１２０ａに出力する。テレビチューナ１６０は、制御部１２０の常連番組通知処理部１２０ａからの要求により、デジタル放送波から「視聴地」のＥＰＧデータを受信し、ＥＰＧデータを常連番組通知処理部１２０ａに出力する。
【００１４】
次に、ＥＰＧサーバ２００の機能構成について、図３を用いて説明する。図３に示すように、ＥＰＧサーバ２００は、通信インターフェース部２１０、制御部２２０、及び記憶部２３０から構成されている。制御部２２０は、ＥＰＧデータ更新処理部２２０ａとＥＰＧデータ送信処理部２２０ｂを備える。記憶部２３０は、ＥＰＧデータベース２３０ａを備える。
【００１５】
通信インターフェース部２１０は、ネットワーク４００に接続し、またネットワーク４００によりテレビ受信機３００とデータの送受信を行う。制御部２２０は、ＥＰＧサーバ２００全体を制御する。ＥＰＧデータ更新処理部２２０ａは、前述したＥＰＧデータを取得する方法を用いて日本全国の番組情報を入力すると、記憶部２３０のＥＰＧデータベース２３０ａを更新する。ＥＰＧデータ更新処理部２２０ａは、１日２回程度の頻度でＥＰＧデータベース２３０ａの更新を行う。ＥＰＧデータ送信処理部２２０ｂは、テレビ受信機３００から指定された地域のＥＰＧデータの要求を受け付けると、記憶部２３０のＥＰＧデータベース２３０ａから指定された地域のＥＰＧデータを取り出し、テレビ受信機３００に送信する。記憶部２３０は、データの書き換え可能なデータ記憶装置である。記憶部２３０のＥＰＧデータベース２３０ａは、全国の都道府県毎のＥＰＧデータが記憶されている。
【００１６】
次に、テレビ受信機３００の機能構成について、図４を用いて説明する。図４に示すように、テレビ受信機３００は、デジタルチューナ３０１、ＴＳ（トランスポートストリーム）デコーダ３０２、音声処理部３０３、映像処理部３０４、ＯＳＤ処理部３０５、表示処理部３０６、テレビモニタ３０７、制御部３０８、記憶部３０９、リモコン受光部３１０、通信インターフェース３１１、及びシステムバス３１２から構成されている。制御部３０８は常連番組検索処理部３０８ａを備える。記憶部３０９は、視聴履歴データテーブル３０９ａを備える。また、テレビ受信機３００は、テレビ受信機３００に操作信号を出力するリモコン３３０を備える。
【００１７】
デジタルチューナ３０１には、デジタル放送波を受信するアンテナ３２０が接続され、デジタルチューナ３０１は、このアンテナ３２０からデジタル放送波を入力し、これらのデジタル放送波をトランスポートストリームパケット（ＴＳパケット）に復調し、ＴＳデコーダ３０２に出力する。ＴＳデコーダ３０２は、このＴＳパケットから所望の放送番組に関する映像データ及び音声データを抽出する。抽出された音声データ及び映像データは、ＭＰＥＧ−２によって符号化されているデジタルデータである。音声処理部３０３は符号化された音声データを復号し、復号した音声データをテレビモニタ３０７に出力する。映像処理部３０４は符号化された映像データを復号し、復号した映像データを表示処理部３０６に出力する。ＯＳＤ処理部３０５は、ＯＳＤ表示されるＯＳＤ映像データを生成し、表示処理部３０６に出力する。表示処理部３０６は、映像処理部３０４から復号化された映像データを入力し、ＯＳＤ処理部３０５からＯＳＤ映像データを入力すると、それらの映像データを重ね合わせてテレビ信号に変換し、テレビモニタ３０７に出力する。また、テレビモニタ３０７は音声処理部３０３から音声データを入力すると、テレビモニタ３０７に備え付けられているスピーカから音声を出力する。
【００１８】
制御部３０８は、視聴者によるリモコン３３０の操作信号に基づき放送チャンネルを切り替えながら、テレビ受信機３００全体を制御する。制御部３０８の常連番組検索処理部３０８ａは、携帯端末１００から送信される視聴情報に基づいて常連番組の検索を行う常連番組検索処理を実行する。常連番組検索処理の詳細については、後述する。記憶部３０９は、テレビ受信機３００の基本機能を実現するためのプログラムを記憶している。記憶部３０９の視聴履歴データテーブル３０９ａには、ユーザーがテレビ受信機３００で視聴した番組の履歴データが保存される。視聴履歴データテーブル３０９ａの構成については、後述する。リモコン受光部３１０は、リモコン３３０から出力される赤外線による操作信号を受信し、操作信号を制御部３０８に出力する。通信インターフェース３１１は、ＬＡＮケーブルによりプロバイダを経由してネットワーク４００に接続し、携帯端末１００及びＥＰＧサーバ２００とデータの送受信を行う。システムバス３１２は、テレビ受信機３００の各部を接続している。制御部３０８は、システムバス３１２を経由して各部に制御信号を出力することができる。
【００１９】
次に、記憶部３０９の視聴履歴データテーブル３０９ａの構成について、図５を用いて説明する。視聴履歴データテーブル３０９ａには、ユーザーが視聴した番組の履歴データが設定される。図５に示すように、視聴履歴データテーブル３０９ａは、「放送日」、「開始時刻」、「終了時刻」、「ｃｈ（チャンネル）」、「番組タイトル」、及び「視聴回数」の項目から構成されている。「放送日」には、ユーザーが視聴した番組が放送される「日」または「曜日」が設定される。例えば、毎日放送される番組であれば「毎日」、毎週火曜日に放送される番組であれば「毎周火曜日」、毎週月曜日から金曜日に放送される番組であれば「毎周月曜日〜金曜日」を示すデータが設定される。「開始時刻」には、番組の放送開始時刻が設定される。「終了時刻」には、番組の放送終了時刻が設定される。「ｃｈ（チャネル）」には、番組が放送されるチャンネル番号が設定される。「番組タイトル」には、番組のタイトルが設定される。「視聴回数」には、ユーザーが今までにその番組を視聴した回数が設定される。視聴履歴データテーブル３０９ａは、「視聴回数」が多い順（「視聴回数」の降順）にユーザーが視聴した番組情報が保存されている。
【００２０】
次に、携帯端末１００における常連番組の情報をユーザーに通知する常連番組通知処理について、図６を用いて説明する。図６は、常連番組通知処理部１１０ａが実行する常連番組通知処理のフローチャートである。ユーザーが携帯端末１００から「常連番組通知」画面を表示させ、その画面エリアを指でタッチすると、パネル操作表示部１４０を経由して制御部１２０に「常連番組通知」画面エリアをタッチしたことを伝える信号が出力される。制御部１２０は、この信号を入力すると常連番組通知処理部１１０ａを起動する。常連番組通知処理部１１０ａが起動されると、常連番組通知処理部１１０ａは常連番組通知処理を開始する。以下、図６の常連番組通知処理のフローチャートに示すステップ順に説明する。
【００２１】
（ステップＳ１０１）
まず、常連番組通知処理部１２０ａは、ＧＰＳ機能使用有無を指定させるメッセージをパネル操作表示部１４０のパネルに表示する。ユーザーは、このメッセージによりＧＰＳ機能使用の「有」または「無」をパネル操作表示部１４０から指定する。ユーザーがＧＰＳ機能使用「無」を指定した場合は、常連番組通知処理部１２０ａは、「視聴地」と「通知開始時間」を指定させるメッセージをパネル操作表示部１４０のパネルに表示すると、ユーザーは、このメッセージにより「視聴地」と「通知開始時間」をパネル操作表示部１４０から指定する。これらのユーザーの指定は、パネル操作表示部１４０から常連番組通知処理部１２０ａに出力される。このようにユーザーがＧＰＳ機能使用「無」を指定し、「視聴地」と「通知開始時間」を指定したときには、「通知開始時間」に設定されている時刻になると、その「視聴地」の常連番組情報がユーザーに通知される。例えば、ユーザーが現在は「視聴地」にいないが数時間後にその「視聴地」に移動するときに、ユーザーは、現時点でその「視聴地」における常連番組情報を通知されても煩わしく感じることがある。このような場合には、ユーザーがその「視聴地」に到着する時刻を「通知開始時間」に設定することで、到着する時刻にその「視聴地」の常連番組情報がユーザーに通知されるので、煩わしさを解消することができる。
【００２２】
（ステップＳ１０２）
次に、常連番組通知処理部１２０ａは、ＧＰＳ機能使用「有」が指定されたかを判定する。ＧＰＳ機能使用「有」が指定されたとき（ステップＳ１０１のＹｅｓ）は、ＧＰＳ機能によりユーザーの現在位置を取り出して「視聴地」に設定するステップＳ１０３に進む。ＧＰＳ機能使用「無」が指定されたとき（ステップＳ１０１のＮｏ）は、「視聴地」と「通知開始時間」をテレビ受信機３００に送信するＳ１０５に進む。
【００２３】
（ステップＳ１０３）
ステップＳ１０２のＹｅｓの場合は、常連番組通知処理部１２０ａは、ＧＰＳ機能部１５０により取り出したユーザーの現在位置を「視聴地」に設定する。
【００２４】
（ステップＳ１０４）
次に、常連番組通知処理部１２０ａは、「通知開始時間」に時刻指定無しのコードを設定する。
【００２５】
（ステップＳ１０５）
次に、常連番組通知処理部１２０ａは、「視聴地」と「通知開始時間」を視聴情報として通信インターフェース部１１０からテレビ受信機３００に送信する。
【００２６】
（ステップＳ１０６）
次に、常連番組通知処理部１２０ａは、テレビ受信機３００から常連番組情報を受信するまで待ち状態とする。通信インターフェース部１１０がテレビ受信機３００から常連番組情報を受信すると制御部１２０に通知し、制御部１２０により常連番組通知処理部１２０ａの待ち状態が解除される。
【００２７】
（ステップＳ１０７）
次に、常連番組通知処理部１２０ａの待ち状態が解除されると、常連番組通知処理部１２０ａはテレビ受信機３００から送信された常連番組情報を通信インターフェース部１１０から入力し、記憶部１３０の常連番組情報保存エリア１３０ａに保存する。
【００２８】
（ステップＳ１０８）
次に、常連番組通知処理部１２０ａは、記憶部１３０の常連番組情報保存エリア１３０ａから常連番組情報を取り出し、常連番組情報に設定されている常連番組の開始時刻や放送局（放送チャンネル）をパネル操作表示部１４０のパネルに表示する。パネル操作表示部１４０がこの常連番組の開始時刻や放送局（放送チャンネル）をパネルに表示することで、ユーザーに通知される。
【００２９】
（ステップＳ１０９）
次に、常連番組通知処理部１２０ａは、デジタル放送波から「視聴地」のＥＰＧデータを受信し、最新の番組表を取り出す。このように最新の番組表を取り出すことで、常連番組の開始時刻が変更になっていた場合でも、ユーザーに正確な常連番組の開始を通知することができる。
【００３０】
（ステップＳ１１０）
次に、常連番組通知処理部１２０ａは、最新の番組表により常連番組の開始時刻となったかを判定する。常連番組の開始時刻となったとき（ステップＳ１１０のＹｅｓ）は、常連番組の放送開始を通知するメッセージをパネル操作表示部１４０のパネルに表示するステップＳ１１２に進む。常連番組の開始時刻となっていないとき（ステップＳ１１０のＮｏ）は、常連番組の開始時刻まで待ち状態とするステップＳ１１１に進む。
【００３１】
（ステップＳ１１１）
ステップＳ１１０のＮｏの場合は、常連番組通知処理部１２０ａは、常連番組の最新の番組表による開始時刻まで一定時間待ち状態とすると、ステップＳ１０９に戻る。
【００３２】
（ステップＳ１１２）
ステップＳ１１０のＹｅｓの場合は、常連番組通知処理部１２０ａは、常連番組の放送開始を通知するメッセージをパネル操作表示部１４０のパネルに表示し、常連番組通知処理を終了する。パネル操作表示部１４０がこの常連番組の放送開始を通知するメッセージをパネルに表示することで、ユーザーに通知される。
【００３３】
次に、テレビ受信機３００における携帯端末１００から送信される視聴情報に基づいて常連番組の検索を行う常連番組検索処理について、図７を用いて説明する。図７は、常連番組検索処理部３０８ａが実行する常連番組検索処理のフローチャートである。テレビ受信機３００の通信インターフェース部３１１が携帯端末１００から「視聴地」と「通知開始時間」のデータを受信すると、制御部３０８に「視聴地」と「通知開始時間」のデータを出力する。制御部３０８は、この「視聴地」と「通知開始時間」のデータを入力すると、常連番組検索処理部３０８ａを起動する。常連番組検索処理部３０８ａが起動されると、常連番組検索処理部３０８ａは常連番組検索処理を開始する。以下、図７の常連番組検索処理のフローチャートに示すステップ順に説明する。
【００３４】
（ステップＳ２０１）
まず、常連番組検索処理部３０８ａは、携帯端末１００から送信された視聴情報の「視聴地」と「通知開始時間」を通信インターフェース部３１１から入力する。
【００３５】
（ステップＳ２０２）
次に、常連番組通知処理部３０８ａは、「通知開始時間」に時刻が指定されているかを判定する。「通知開始時間」に時刻の設定がされているとき（ステップＳ２０２のＹｅｓ）は、一定時間待ち状態とするステップＳ２０３に進む。また、「通知開始時間」に時刻指定無しのコードが設定され時刻の設定がされていないとき（ステップＳ２０２のＮｏ）は、
ＥＰＧサーバ２００のＥＰＧデータベース２３０ａにアクセスして、「視聴地」の番組表を入力するステップＳ２０５に進む。
【００３６】
（ステップＳ２０３）
ステップＳ２０２のＹｅｓの場合は、常連番組通知処理部３０８ａは、予め決められた一定時間待ち状態とする。
【００３７】
（ステップＳ２０４）
次に、常連番組通知処理部３０８ａは、「通知開始時間」の指定時刻となったかを判定する。「通知開始時間」の指定時刻となったとき（ステップＳ２０４のＹｅｓ）は、ＥＰＧサーバ２００のＥＰＧデータベース２３０ａにアクセスして、「視聴地」の番組表を入力するステップＳ２０５に進む。「通知開始時間」の指定時刻となっていないとき（ステップＳ２０４のＮｏ）は、予め決められた一定時間待ち状態とするステップＳ２０３に戻る。
【００３８】
（ステップＳ２０５）
次に、常連番組通知処理部３０８ａは、通信インターフェース部３１１からＥＰＧサーバ２００のＥＰＧデータベース２３０ａにアクセスして、「視聴地」の番組表を入力する。ＥＰＧサーバ２００の記憶部２３０のＥＰＧデータベース２３０ａには、全国の都道府県毎のＥＰＧデータが記憶されている。
【００３９】
（ステップＳ２０６）
次に、常連番組通知処理部３０８ａは、記憶部３０９の視聴履歴データテーブル３０９ａを取り出し、この視聴履歴データテーブル３０９ａの「視聴回数」の多い順に「番組タイトル」と同じタイトルの番組を、ステップＳ２０５で入力した「視聴地」の番組表から検索し、検索した番組の情報を常連番組情報に設定する。また、「視聴地」の番組表に視聴履歴データテーブル３０９の「番組タイトル」と同じ番組がないときには、視聴履歴データテーブル３０９ａの「視聴回数」の多い順に「番組タイトル」」に類似するタイトルの番組を、ステップＳ２０５で入力した「視聴地」の番組表から検索し、検索した「視聴地」の番組の情報を常連番組情報に設定する。例えば、図５に示す視聴履歴データテーブル３０９の「番組タイトル」に設定されている「ＤＤＤＤドラマ」という番組が「視聴地」の番組表にあれば、常連番組情報に「ＤＤＤＤドラマ」の番組情報を設定する。また、「視聴地」の番組表に視聴履歴データテーブル３０９の「番組タイトル」と同じ番組がないが「ＢＢＢＢシアタ−」に類似する「ＫＫＫＫシアター」という番組が「視聴地」の番組表にあれば、常連番組情報に「ＫＫＫＫシアター」の番組情報を設定する。
【００４０】
（ステップＳ２０７）
次に、常連番組通知処理部３０８ａは、ステップ２０６で設定した「視聴地」で視聴可能な常連番組情報を携帯端末１００に送信すると、常連番組通知処理を終了する。
【００４１】
このような実施形態１の常連番組通知システム１０によれば、ユーザーが常時視聴しているテレビ受信機３００とは異なるテレビ受信機で視聴する場合やユーザーが常時視聴している地域と遠く離れた地域でテレビジョン放送を視聴する場合においても、常連番組の情報をユーザーに通知することができ、また常連番組の開始時刻になったときにも常連番組の開始が通知されるので、ユーザーは常連番組を見逃さずに視聴することができる。
【００４２】
以下、本発明を実施するための第２の実施形態（以下、「実施形態２」という）について図面を参照して説明する。実施形態２は、「視聴地」の番組表とテレビ受信機３００の番組表が同じであるかを判定し、番組表が同じであるときにユーザーの指定があれば、携帯端末１００に通知した常連番組をテレビ受信機３００が録画するものである。
【００４３】
実施形態２の常連番組通知システム２０は、図１に示す常連番組通知システム１０に同じである。実施形態２は、図２に示す携帯端末１００の常連番組通知処理部１２０ａを常連番組通知処理部１２０ｂに、また図４に示すテレビ受信機３００の常連番組検索処理部３０８ａを常連番組検索処理部３０８ｂに変更する以外は、実施形態１に同じである。
【００４４】
次に、実施形態２の携帯端末１００における常連番組の情報をユーザーに通知する常連番組通知処理について、図８を用いて説明する。図８は、常連番組通知処理部１１０ｂが実行する常連番組通知処理のフローチャートである。ユーザーが携帯端末１００から「常連番組通知」画面を表示させ、その画面エリアを指でタッチすると、パネル操作表示部１４０を経由して制御部１２０に「常連番組通知」画面エリアをタッチしたことを伝える信号が出力される。制御部１２０は、この信号を入力すると常連番組通知処理部１１０ｂを起動する。常連番組通知処理部１１０ｂが起動されると、常連番組通知処理部１１０ｂは常連番組通知処理を開始する。以下、図８の常連番組通知処理のフローチャートに示すステップＳ１０１からステップＳ１１２において、ステップＳ１１２の常連番組通知処理を終了させる箇所以外は実施形態１に同じであるので、ステップＳ１１３からステップＳ１１６についてステップ順に説明する。
【００４５】
（ステップＳ１１３）
ステップＳ１１２の次に、常連番組通知処理部１２０ｂは、通信インターフェース部１１０によりテレビ受信機３００から常連番組録画有無を受信したかを判定する。常連番組録画有無を受信したとき（ステップＳ１１３のＹｅｓ）は、常連番組について録画有無を通知するメッセージをパネル操作表示部１４０に表示するステップＳ１１４に進む。常連番組録画有無を受信しないとき（ステップＳ１１３のＮｏ）は、常連番組通知処理を終了する。
【００４６】
（ステップＳ１１４）
ステップＳ１１３のＹｅｓの場合は、常連番組通知処理部１２０ｂは、常連番組について録画有無を通知するメッセージをパネル操作表示部１４０に表示する。パネル操作表示部１４０が、この常連番組について録画有無を通知するメッセージをパネルに表示することで、ユーザーに通知される。
【００４７】
（ステップＳ１１５）
次に、常連番組通知処理部１２０ｂは、ユーザーが指定した常連番組の録画「有」または「無」を入力する。
【００４８】
（ステップＳ１１６）
次に、常連番組通知処理部１２０ｂは、ステップＳ１１５で入力した常連番組の録画「有」または「無」の指定を、通信インターフェース部１１０からテレビ受信機３００に送信し、常連番組通知処理を終了する。
【００４９】
次に、テレビ受信機３００における携帯端末１００から送信される視聴情報に基づいて常連番組の検索を行う常連番組検索処理について、図９を用いて説明する。図９は、常連番組検索処理部３０８ｂが実行する常連番組検索処理のフローチャートである。テレビ受信機３００の通信インターフェース部３１１が携帯端末１００から「視聴地」と「通知開始時間」のデータを受信すると、制御部３０８に「視聴地」と「通知開始時間」のデータを出力する。制御部３０８は、この「視聴地」と「通知開始時間」のデータを入力すると、常連番組検索処理部３０８ｂを起動する。常連番組検索処理部３０８ｂが起動されると、常連番組検索処理部３０８ｂは常連番組検索処理を開始する。以下、図９の常連番組検索処理のフローチャートに示すステップＳ２０１からステップＳ２０７において、ステップＳ２０７の常連番組検索処理を終了させる箇所以外は実施形態１に同じであるので、ステップＳ２０８からステップＳ２１２についてステップ順に説明する。
【００５０】
（ステップＳ２０８）
ステップＳ２０７の次に、常連番組検索処理部３０８ｂは、「視聴地」の番組表とテレビ受信機３００がデジタル放送波から受信するＥＰＧデータの番組表が同じであるかを判定する。「視聴地」とテレビ受信機３００の番組表が同じであるとき（ステップＳ２０８のＹｅｓ）は、常連番組についての録画有無を携帯端末１００に送信するステップＳ２０９に進む。「視聴地」とテレビ受信機３００の番組表が同じでないとき（ステップＳ２０８のＮｏ）は、常連番組検索処理部３０８ｂは、常連番組検索処理を終了する。
【００５１】
（ステップＳ２０９）
ステップＳ２０８のＹｅｓの場合は、常連番組検索処理部３０８ｂは、常連番組についての録画有無を通信インターフェース部３１１から携帯端末１００に送信する。
【００５２】
（ステップＳ２１０）
次に、常連番組検索処理部３０８ｂは、携帯端末１００から送信された常連番組の録画「有」または「無」を通信インターフェース部３１１から入力する。
【００５３】
（ステップＳ２１１）
次に、常連番組検索処理部３０８ｂは、常連番組の録画「有」が指定されているかを判定する。常連番組の録画「有」が指定されているとき（ステップＳ２１１のＹｅｓ）は、常連番組について録画を開始するステップＳ２１２に進む。常連番組の録画「無」が指定されているとき（ステップＳ２１１のＮｏ）は、常連番組検索処理部３０８ｂは、常連番組検索処理を終了する。
【００５４】
（ステップＳ２１２）
次に、常連番組検索処理部３０８ｂは、常連番組について録画を開始すると、常連番組検索処理を終了する。
【００５５】
このような実施形態２の常連番組通知システム２０によれば、常連番組がユーザーの居住地で放送される常連番組であれば、ユーザーが録画予約を行っていない場合に、常連番組の開始直前にユーザーに対して録画有無の通知を行うことができるので、ユーザーが「指定地」で常連番組を視聴できない場合でも常連番組を録画することで確実に常連番組を視聴することができる。
【００５６】
なお、実施形態１及び実施形態２においては、テレビ受信機３００の記憶部３０９に保存されている視聴履歴データテーブル３０９ａに基づいてユーザーが指定した「視聴地」における番組表から番組を選択して常連番組情報としてユーザーに通知するようにしたが、ユーザーが嗜好するタレント名、事柄、及び場所などのキーワードを予めテレビ受信機３００の記憶部３０９に保存しておき、番組タイトルや番組内容にこのキーワードを含む番組を「視聴地」における番組表から選択することも可能である。また、常連番組情報に設定される番組はひとつでなく複数の番組とすることも可能である。例えば、常連番組情報にはユーザーの嗜好に最も近いと思われる番組をつなぎ合わせて、嗜好する番組を切れ目なくユーザーが視聴できるように設定することも可能である。このような場合には、常連番組情報に設定されている常連番組毎に常連番組が開始される時刻になると開始が通知される。しかし、常連番組情報に設定されている全ての常連番組について開始が通知されるとユーザーにとっては煩わしいこともある。この対策として、常連番組毎にユーザーの嗜好にどれだけ近いかを数値化して「お薦め度」を設定し、ユーザーが指定した「お薦め度」より高い常連番組だけをユーザーに通知するようにすることも可能である。または、ユーザーが指定する時間帯に放映される常連番組だけをユーザーに通知するようにすることも可能である。また、実施形態１及び実施形態２においては、携帯端末１００にテレビチューナ１６０を備え、常連番組の開始時刻となったときに携帯端末１００により常連番組の最新の番組表をデジタル放送波から受信して開始時刻を確認するようにしたが、テレビチューナ１６０を備えていない携帯端末１００を用いる場合は、常連番組の最新の番組表を取得して開始時刻の確認を行わないようにすることも可能である。
【００５７】
以上により、本発明の常連番組情報通知システムは、ユーザーが常時視聴しているテレビ受信機とは異なるテレビ受信機で視聴する場合や、ユーザーが常時視聴している地域と遠く離れた地域でテレビジョン放送を視聴する場合においても、常連番組やユーザーの嗜好に一致する番組の情報をユーザーに通知することができる。
【００５８】
以上、具体的な実施の形態により本発明を説明したが、上記実施の形態は本発明の例示であり、この実施の形態に限定されないことは言うまでもない。
【産業上の利用可能性】
【００５９】
本発明は、常連番組情報通知システムに好適であるが、携帯端末からの要求により自動的にサーバからデータを取り出し、携帯端末に送信するシステム一般に適用可能である。
【符号の説明】
【００６０】
１０・・・・・常連番組情報通知システム
２０・・・・・常連番組情報通知システム
１００・・・・・携帯端末
１１０・・・・・通信インターフェース部
１２０・・・・・制御部
１２０ａ・・・・常連番組通知処理部
１２０ｂ・・・・常連番組通知処理部
１３０・・・・・記憶部
１３０ａ・・・・常連番組保存エリア
１４０・・・・・パネル操作表示部
１５０・・・・・ＧＰＳ機能部
１６０・・・・・テレビチューナ
２００・・・・・ＥＰＧサーバ
２１０・・・・・通信インターフェース部
２２０・・・・・制御部
２２０ａ・・・・ＥＰＧデータ更新処理部
２２０ｂ・・・・ＥＰＧデータ送信処理部
２１０・・・・・ネットワーク通信部
２３０・・・・・制御部
２３０ａ・・・・ＥＰＧデータベース
３００・・・・・テレビ受信機
３０１・・・・・デジタルチューナ
３０２・・・・・ＴＳデコーダ
３０３・・・・・音声処理部
３０４・・・・・映像処理部
３０５・・・・・ＯＳＤ処理部
３０６・・・・・表示処理部
３０７・・・・・テレビモニタ
３０８・・・・・制御部
３０８ａ・・・・常連番組検索処理部
３０８ｂ・・・・常連番組検索処理部
３０９・・・・・記憶部
３０９ａ・・・・視聴履歴データテーブル
３１０・・・・・リモコン受光部
３１１・・・・・通信インターフェース
３１２・・・・・システムバス
３２０・・・・・アンテナ
３３０・・・・・リモコン
４００・・・・・ネットワーク
【図１】
2013145995.tif 000003
【図２】
2013145995.tif 000004
【図３】
2013145995.tif 000005
【図４】
2013145995.tif 000006
【図５】
2013145995.tif 000007
【図６】
2013145995.tif 000008
【図７】
2013145995.tif 000009
【図８】
2013145995.tif 000010
【図９】
2013145995.tif 000011